【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
運行予定の運送便について、出発及び到着のダイヤグラム、車種を含む設定情報を記録した運送便情報記憶手段と、
出発支店、到着支店、所要時間に関するデータを含む支店間経路マスタデータを記憶したマスタ記憶手段と、
各拠点に設置されたクライアント端末に接続された制御手段とを備えて、運送便の管理を行なう運送管理システムであって、
前記制御手段が、
クライアント端末から、追加運送の設定条件を含む追加運送依頼を取得する手段と、
前記運送便情報記憶手段に記録された運送便の設定情報を用いて、前記追加運送依頼の設定条件に類似する運送便が前記運送便情報記憶手段に記録されているか否かを検索する手段と、
前記設定条件に含まれる出発地、目的地についての条件を満足する運送便を前記運送便情報記憶手段から抽出した場合には、この運送便を運送便候補として特定する運送便候補特定手段と、
前記マスタ記憶手段に記憶された支店間経路マスタデータを用いて、前記運送便候補を用いて立寄った場合の所要時間を算出し、前記運送便候補の所要時間に応じて、立寄り可否を判定し、
立寄り可能と判定した場合には、前記運送便候補を前記クライアント端末に出力する手段と
を備えたことを特徴とする運送管理システム。
【請求項２】
運送便において、実際に積載された積載量についての実績情報を記録した実績情報記憶手段を更に備え、
前記制御手段が、
特定した運送便候補の車両の積載量を、前記実績情報記憶手段に記録された積載量から予測し、
前記運送便候補において、追加運送の設定条件に含まれる積載量を積載可能である場合には、前記運送便候補を前記クライアント端末に出力することを特徴とする請求項１に記載の運送管理システム。
【請求項３】
前記制御手段は、
既定便についての情報を記憶した既定便情報記憶手段と、
車種別に最大積載量を記憶した車種情報記憶手段と、
既定便の運行の見直しを行なう担当者が用いる管理端末とに接続されており、
前記制御手段が、
前記実績情報記憶手段に記録された積載荷量を、車種に応じた最大積載量で除算した積載率を算出する手段と、
前記積載率が低い場合には、この積載率が低い運送便を既定便の見直し候補として特定し、前記見直し候補の設定情報を前記管理端末に表示することにより、前記既定便の変更を促す車両見直し手段と
を備えたことを特徴とする請求項２に記載の運送管理システム。
【請求項４】
前記運送便情報記憶手段には、運送便が臨時便又は既定便の種類を特定する情報が記録されており、
前記制御手段が、
前記実績情報記憶手段から臨時便の実績情報を取得し、
類似した設定条件の臨時便をグループ化し、
グループ化した臨時便の利用頻度が高い場合には、この臨時便の設定条件を前記管理端末に表示することにより、前記臨時便の設定条件に応じた既定便の登録を促す既定便見直し手段と
を更に備えたことを特徴とする請求項３に記載の運送管理システム。
【請求項５】
前記既定便見直し手段は、前記臨時便の実績情報から、グループ化した臨時便が運行される周期性を特定し、前記周期性に基づいて既定便の登録を促すことを特徴とする請求項４に記載の運送管理システム。
【請求項６】
前記制御手段が、
前記追加運送の設定条件に適合する臨時便を新たに運行した場合の運送コストを算出する手段と、
前記追加運送の設定条件を用いて、前記運送便候補における追加運送分の運送コストを算出する手段と、
前記臨時便の運送コストと、前記運送便候補における追加運送分の運送コストとを前記クライアント端末に出力する手段と
を更に備えたことを特徴とする請求項１〜５の何れか１項に記載の運送管理システム。
【請求項７】
前記運送便候補特定手段が、
前記追加運送の設定条件によって、前記運送便候補が新たな拠点に立ち寄る場合、この運送便候補における他の到着拠点の到着予想時刻を算出し、
前記到着予想時刻と、到着拠点における運送便候補到着時限との比較に基づいて、前記運送便候補として特定することを特徴とする請求項１〜６の何れか１項に記載の運送管理システム。
【請求項８】
運行予定の運送便について、出発及び到着のダイヤグラム、車種を含む設定情報を記録した運送便情報記憶手段と、
出発支店、到着支店、所要時間に関するデータを含む支店間経路マスタデータを記憶したマスタ記憶手段と、
各拠点に設置されたクライアント端末に接続された制御手段とを備えた運送管理システムを用いて運送便の管理を行なう方法であって、
前記制御手段が、
クライアント端末から、追加運送の設定条件を含む追加運送依頼を取得する段階と、
前記運送便情報記憶手段に記録された運送便の設定情報を用いて、前記追加運送依頼の設定条件に類似する運送便が前記運送便情報記憶手段に記録されているか否かを検索する段階と、
前記設定条件に含まれる出発地、目的地についての条件を満足する運送便を前記運送便情報記憶手段から抽出した場合には、この運送便を運送便候補として特定する運送便候補特定段階と、
前記マスタ記憶手段に記憶された支店間経路マスタデータを用いて、前記運送便候補を用いて立寄った場合の所要時間を算出し、前記運送便候補の所要時間に応じて、立寄り可否を判定し、
立寄り可能と判定した場合には、前記運送便候補を前記クライアント端末に出力する段階と
を実行することを特徴とする運送管理方法。
【請求項９】
運行予定の運送便について、出発及び到着のダイヤグラム、車種を含む設定情報を記録した運送便情報記憶手段と、
出発支店、到着支店、所要時間に関するデータを含む支店間経路マスタデータを記憶したマスタ記憶手段と、
各拠点に設置されたクライアント端末に接続された制御手段とを備えた運送管理システムを用いて運送便の管理を行なうプログラムであって、
前記制御手段を、
クライアント端末から、追加運送の設定条件を含む追加運送依頼を取得する手段、
前記運送便情報記憶手段に記録された運送便の設定情報を用いて、前記追加運送依頼の設定条件に類似する運送便が前記運送便情報記憶手段に記録されているか否かを検索する手段、
前記設定条件に含まれる出発地、目的地についての条件を満足する運送便を前記運送便情報記憶手段から抽出した場合には、この運送便を運送便候補として特定する運送便候補特定手段、
前記マスタ記憶手段に記憶された支店間経路マスタデータを用いて、前記運送便候補を用いて立寄った場合の所要時間を算出し、前記運送便候補の所要時間に応じて、立寄り可否を判定し、
立寄り可能と判定した場合には、前記運送便候補を前記クライアント端末に出力する手段
として機能させることを特徴とする運送管理プログラム。
【手続補正２】
【補正対象書類名】明細書
【補正対象項目名】０００７
【補正方法】変更
【補正の内容】
【０００７】
上記問題点を解決するために、請求項１に記載の発明は、運行予定の運送便について、出発及び到着のダイヤグラム、車種を含む設定情報を記録した運送便情報記憶手段と、出発支店、到着支店、所要時間に関するデータを含む支店間経路マスタデータを記憶したマスタ記憶手段と、各拠点に設置されたクライアント端末に接続された制御手段とを備えて、運送便の管理を行なう運送管理システムであって、前記制御手段が、クライアント端末から、追加運送の設定条件を含む追加運送依頼を取得する手段と、前記運送便情報記憶手段に記録された運送便の設定情報を用いて、前記追加運送依頼の設定条件に類似する運送便が前記運送便情報記憶手段に記録されているか否かを検索する手段と、前記設定条件に含まれる出発地、目的地についての条件を満足する運送便を前記運送便情報記憶手段から抽出した場合には、この運送便を運送便候補として特定する運送便候補特定手段と、前記
マスタ記憶手段に記憶された支店間経路マスタデータを用いて、前記運送便候補を用いて立寄った場合の所要時間を算出し、前記運送便候補の所要時間に応じて、立寄り可否を判定し、立寄り可能と判定した場合には、前記運送便候補を前記クライアント端末に出力する手段とを備えたことを要旨とする。
【手続補正３】
【補正対象書類名】明細書
【補正対象項目名】０００８
【補正方法】変更
【補正の内容】
【０００８】
請求項２に記載の発明は、請求項１に記載の運送管理システムにおいて、運送便において、実際に積載された積載量についての実績情報を記録した実績情報記憶手段を更に備え、前記制御手段が、特定した運送便候補の車両の積載量を、前記実績情報記憶手段に記録された積載量から予測し、前記運送便候補において、追加運送の設定条件に含まれる積載量を積載可能である場合には、前記運送便候補を前記クライアント端末に出力することを要旨とする。
請求項３に記載の発明は、請求項２に記載の運送管理システムにおいて、前記制御手段は、既定便についての情報を記憶した既定便情報記憶手段と、車種別に最大積載量を記憶した車種情報記憶手段と、既定便の運行の見直しを行なう担当者が用いる管理端末とに接続されており、前記制御手段が、前記実績情報記憶手段に記録された積載荷量を、車種に応じた最大積載量で除算した積載率を算出する手段と、前記積載率が低い場合には、この積載率が低い運送便を既定便の見直し候補として特定し、前記見直し候補の設定情報を前記管理端末に表示することにより、前記既定便の変更を促す車両見直し手段とを備えたことを要旨とする。
請求項４に記載の発明は、請求項３に記載の運送管理システムにおいて、前記運送便情報記憶手段には、運送便が臨時便又は既定便の種類を特定する情報が記録されており、前記制御手段が、前記実績情報記憶手段から臨時便の実績情報を取得し、類似した設定条件の臨時便をグループ化し、グループ化した臨時便の利用頻度が高い場合には、この臨時便の設定条件を前記管理端末に表示することにより、前記臨時便の設定条件に応じた既定便の登録を促す既定便見直し手段とを更に備えたことを要旨とする。
請求項５に記載の発明は、請求項４に記載の運送管理システムにおいて、既定便見直し手段は、前記臨時便の実績情報から、グループ化した臨時便が運行される周期性を特定し、前記周期性に基づいて既定便の登録を促すことを要旨とする。
請求項６に記載の発明は、請求項１〜５の何れか１項に記載の運送管理システムにおいて、前記制御手段が、前記追加運送の設定条件に適合する臨時便を新たに運行した場合の運送コストを算出する手段と、前記追加運送の設定条件を用いて、前記運送便候補における追加運送分の運送コストを算出する手段と、前記臨時便の運送コストと、前記運送便候補における追加運送分の運送コストとを前記クライアント端末に出力する手段とを更に備えたことを要旨とする。
【手続補正４】
【補正対象書類名】明細書
【補正対象項目名】０００９
【補正方法】変更
【補正の内容】
【０００９】
請求項７に記載の発明は、請求項１〜６の何れか１項に記載の運送管理システムにおいて、前記運送便候補特定手段が、前記追加運送の設定条件によって、前記運送便候補が新たな拠点に立ち寄る場合、この運送便候補における他の到着拠点の到着予想時刻を算出し、前記到着予想時刻と、到着拠点における運送便候補到着時限との比較に基づいて、前記運送便候補として特定することを要旨とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項８に記載の発明は、運行予定の運送便について、出発及び到着のダイヤグラム、車種を含む設定情報を記録した運送便情報記憶手段と、出発支店、到着支店、所要時間に関するデータを含む支店間経路マスタデータを記憶したマスタ記憶手段と、各拠点に設置されたクライアント端末に接続された制御手段とを備えた運送管理システムを用いて運送便の管理を行なう方法であって、前記制御手段が、クライアント端末から、追加運送の設定条件を含む追加運送依頼を取得する段階と、前記運送便情報記憶手段に記録された運送便の設定情報を用いて、前記追加運送依頼の設定条件に類似する運送便が前記運送便情報記憶手段に記録されているか否かを検索する段階と、前記設定条件に含まれる出発地、目的地についての条件を満足する運送便を前記運送便情報記憶手段から抽出した場合には、この運送便を運送便候補として特定する運送便候補特定段階と、前記マスタ記憶手段に記憶された支店間経路マスタデータを用いて、前記運送便候補を用いて立寄った場合の所要時間を算出し、前記運送便候補の所要時間に応じて、立寄り可否を判定し、立寄り可能と判定した場合には、前記運送便候補を前記クライアント端末に出力する段階とを実行することを要旨とする。
【手続補正９】
【補正対象書類名】明細書
【補正対象項目名】００１４
【補正方法】変更
【補正の内容】
【００１４】
請求項９に記載の発明は、運行予定の運送便について、出発及び到着のダイヤグラム、車種を含む設定情報を記録した運送便情報記憶手段と、出発支店、到着支店、所要時間に関するデータを含む支店間経路マスタデータを記憶したマスタ記憶手段と、各拠点に設置されたクライアント端末に接続された制御手段とを備えた運送管理システムを用いて運送便の管理を行なうプログラムであって、前記制御手段を、クライアント端末から、追加運送の設定条件を含む追加運送依頼を取得する手段、前記運送便情報記憶手段に記録された運送便の設定情報を用いて、前記追加運送依頼の設定条件に類似する運送便が前記運送便情報記憶手段に記録されているか否かを検索する手段、前記設定条件に含まれる出発地、目的地についての条件を満足する運送便を前記運送便情報記憶手段から抽出した場合には、この運送便を運送便候補として特定する運送便候補特定手段、前記マスタ記憶手段に記憶された支店間経路マスタデータを用いて、前記運送便候補を用いて立寄った場合の所要時間を算出し、前記運送便候補の所要時間に応じて、立寄り可否を判定し、立寄り可能と
判定した場合には、前記運送便候補を前記クライアント端末に出力する手段として機能させることを要旨とする。
【手続補正１０】
【補正対象書類名】明細書
【補正対象項目名】００１５
【補正方法】変更
【補正の内容】
【００１５】
（作用）
請求項１，８又は９に記載の発明によれば、制御手段が、クライアント端末から、追加運送の設定条件を含む追加運送依頼を取得する。制御手段が、運送便情報記憶手段に記録された運送便の設定情報を用いて、追加運送依頼の設定条件に類似する運送便が前記運送便情報記憶手段に記録されているか否かを検索する。制御手段が、設定条件に含まれる出発地、目的地についての条件を満足する運送便を運送便情報記憶手段から抽出した場合には、この運送便を運送便候補として特定する。制御手段が、マスタ記憶手段に記憶された支店間経路マスタデータを用いて、運送便候補を用いて立寄った場合の所要時間を算出し、運送便候補の所要時間に応じて、立寄り可否を判定し、立寄り可能と判定した場合には、運送便候補をクライアント端末に出力する。これにより、運行が計画されている計画運送便に、追加運送依頼の設定条件に類似する運送便が含まれている場合には、この計画運送便を流用することができる。従って、新たな臨時便を運行することなく、既存の運送便を利用して、効率よく運送便を運行することができる。
【手続補正１１】
【補正対象書類名】明細書
【補正対象項目名】００１６
【補正方法】変更
【補正の内容】
【００１６】
請求項２に記載の発明によれば、制御手段が、特定した運送便候補の車両の積載量を、前記実績情報記憶手段に記録された積載量から予測し、運送便候補において、追加運送の設定条件に含まれる積載量を積載可能である場合には、前記運送便候補を前記クライアント端末に出力する。
請求項３に記載の発明によれば、制御手段は、実績情報記憶手段に記録された積載荷量を、車種に応じた最大積載量で除算した積載率を算出する。制御手段は、積載率が低い場合には、この積載率が低い運送便を既定便の見直し候補として特定し、見直し候補の設定情報を管理端末に表示することにより、既定便の変更を促す。これにより、積載率が低く運送コストが割高になる運送便について、効率よく見直すことができる。
請求項４に記載の発明によれば、制御手段は、実績情報記憶手段から臨時便の実績情報を取得し、類似した設定条件の臨時便をグループ化する。制御手段は、グループ化した臨時便の利用頻度が高い場合には、この臨時便の設定条件を管理端末に表示することにより、臨時便の設定条件に応じた既定便の登録を促す。これにより、利用頻度が高い臨時便については既定便に変更することにより、運送コストを低減することが期待できる。
請求項５に記載の発明によれば、制御手段は、臨時便の実績情報から、グループ化した臨時便が運行される周期性を特定し、周期性に基づいて既定便の登録を促す。これにより、周期性がある臨時便については、既定便に変更することにより、運送コストを低減することが期待できる。
請求項６に記載の発明によれば、制御手段は、追加運送の設定条件に適合する臨時便を新たに運行した場合の運送コストを算出する。制御手段は、追加運送の設定条件を用いて、運送便候補における追加運送分の運送コストを算出する。制御手段は、臨時便の運送コストと、運送便候補における追加運送分の運送コストとをクライアント端末に出力する。これにより、臨時便の運送コストと、計画運送便を利用した場合のコストとを出力するた
め、経済的に効率的な追加運送を選択することができる。
【手続補正１２】
【補正対象書類名】明細書
【補正対象項目名】００１７
【補正方法】変更
【補正の内容】
【００１７】
請求項７に記載の発明によれば、制御手段は、追加運送の設定条件によって、運送便候補が新たな拠点に立ち寄る場合、この運送便候補における他の到着拠点の到着予想時刻を算出し、到着予想時刻と、到着拠点における運送便候補到着時限との比較に基づいて、運送便候補として特定する。これにより、新たな拠点に立寄った場合の他の拠点の遅延を考慮して、運送便候補を特定することができる。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】